(57)【要約】      （修正有）【課題】歯磨き回数を倍増できる衛生的な歯ブラシを提供する。【解決手段】容器付歯ブラシ、回数計１付歯ブラシ、其々を、着脱可能なブラシ部を組立てカートリッジブラシ部品１１を、ハンドル部を組立てカートリッジ容器付ハンドル部品と組立てカートリッジ回数計付ハンドル部品に分け、組立てカートリッジブラシ部品１１には、上記ハンドル部品と着脱する装置としてフック付着脱口１０を設けて成る組立てカートリッジブラシ部品１１を設ける。組立てカートリッジ容器付ハンドル部品と組立てカートリッジ回数計付ハンドル部品には、上記ブラシ部品１１と着脱する、掛付着脱突起を設ける。【選択図】図１
2015177945.tif 000002
【特許請求の範囲】
【請求項１】
歯磨き回数計１は、従来から在る歩数計等を援用し、設計製作生産し、着脱できる装置付歯ブラシを設ける。
【請求項２】
歯ブラシのブラシ部８表面に孔２、植毛３、ブラシ部８背面から伸ばしたアーム４、その先に出し入れ可能な容器を兼ねた容器取手５、から成る容器付歯ブラシ６を設ける。
【請求項３】
容器歯ブラシ６に回数計１を挿入した回計数付歯ブラシ７を設ける。
【請求項４】
上記の歯ブラシ６、歯ブラシ７を、其々、着脱可能なブラシ部品、ハンドル部品に分け、ブラシ部品については、フック付着脱口１０を設けたブラシ部品１１を設け、ハンドル部品については、掛付着脱突起１２を設けた組立てカートリッジ容器付ハンドル部品１３と、該１３に回数計１を装着した組立てカートリッジ回数計付ハンドル部品１４を設ける。
【請求項５】
ブラシ部品１１のフック付着脱口１０にハンドル部品１３の掛  付着脱突起１２を挿入して成る、組立てカートリッジ容器歯ブラシ１４と該歯ブラシ１４に回数計１を装着した組立てカートリッジ計数歯ブラシ１５を設ける。
上記、組立てを解除する時は、フック付着脱口１０に在るフックを掛  付着脱突起１２に在る掛りから外して成る装置。
【発明の詳細な説明】
【技術分野】
【０００１】  本発明は、歯ブラシと歯磨き回数計並びに、歯磨き時に口内の食物残渣等を吸収する嚥下専用歯ブラシ。
【背景技術】
【０００２】  従来の歯ブラシは、ブラシ毛が密に植毛され、ブラシ毛が消耗したら使い捨てするプラスチック製が主で、使用のしかたは、磨き剤や湯水の使用を伴う、使用後は念入りに時間を掛けて洗浄するか、正しい滅菌処理をするか、しないと雑菌繁殖の危険があり、不衛生な状態の歯ブラシを使う危険がある等、扱い難いから、歯を磨きたい衝動を抑え込んでしまい、歯磨き回数を増やせない歯ブラシであり、資源を無駄にしている歯ブラシである。【０００３】  従来の歯ブラシは、毛束が過密植毛されていて、歯磨き時に口内に在る食片や磨き剤や唾液等の全てを吐き出す、吐き出し専用の歯ブラシであり、使用後湯水で洗った歯ブラシ面には雑菌が多く常在し易く、清潔な状態を維持する事が困難な問題を抱えていた。
従来歯ブラシの日常的な使い方は、歯ブラシ面に歯磨き剤を塗り、歯に当て、歯や歯の回りを磨き、歯に付着しているプラークや食物残渣等を歯ブラシで掃いブラシ面に捕捉し、数回口内に溜まった磨き剤や唾液や食物片等を吐き捨て、さらに数回口内を湯水等で濯ぎ、最後には使ったブラシ面を数回洗って終了する、その動作は時間と場所の制約もあり、のんびりと磨ける人には良くても、多忙な人々にとって容易でなかった、歯磨きの大切さがわかっていても、１日１回磨くだけで終わる人が多いのは、従来の歯ブラシのブラシ面は、雑菌を捕捉するが除去する事を難しくしている構成がネックとして在り、そのブラシ面が著しく不衛生な状態の歯ブラシある場合が多い為、煩雑な歯磨きの動作を伴っていると考えられる。歯磨きをいくら奨励されてもネックを炙り出し排除し改善する研究努力が遅れ、歯磨き回数を増やすことが出来なかった。
【先行技術文献】
【非特許文献】
【０００４】  本発明出願者は、歯ブラシに関する出願が数点あり、名寄せで一覧戴けると判明します、その時点では何れも食片の嚥下を主張していましたが、従来歯ブラシにある煩雑な動作の原因として、前日に使用した歯ブラシのブラシ面に、雑菌が残っている疑いを排除できない侭使用するので、煩雑な歯磨き動作に成り、清潔では無い歯ブラシを使うから吐き出さなくても良い食片や咀嚼残渣をわざわざ吐き出す行為になり、その問題を従来歯ブラシは抱えているから煩雑な歯磨き動作は避けられないと理解いたし、その問題解決のため、清潔で雑菌を捕捉しにくい食片嚥下に特化した歯ブラシを提供しようとするものである。
【発明の概要】
【発明が解決しようとする課題】
【０００５】  以上に述べた従来歯ブラシと従来歯ブラシを使って行う歯磨きが動作について、従来歯ブラシ面は毛束の植毛数を密にした歯ブラシで、新しく清潔な歯ブラシでも、１度使ったブラシ面は、雑菌の付着と雑菌の繁殖から逃れ難いので、神経質な人は毎日滅菌するか、新品の歯ブラシを使用している。【０００６】  従来歯ブラシと従来歯ブラシの使い方について、歯ブラシは食物咀嚼残渣を掃い捕捉すべく構成されて、捕捉した咀嚼残渣等がブラシ面から取り難く、雑菌が繁殖し易いから、使用者が再使用時には、汚れが少し残った侭の歯ブラシを使う様な嫌悪感を我慢して、使わなければならない問題が在った。【０００７】  であるから、従来歯ブラシの使用者は、始めから少しぐらいの雑菌がある歯ブラシで在っても良いと覚悟して使う事に慣れ、麻痺している問題が在る。
ゆえに、大変煩雑な動作を伴い、上記敬遠したくなるような歯磨きを、数百年も前から全世界中で続けられ、従来の歯ブラシは進歩性が全く無い。
悪しき原因は、歯ブラシの構成と該歯ブラシの使い方について、歯科衛生に関わる人々がそれらの問題を承知しながら、研究しても解決手段を見出せないでいるのか、問題から目をそらしているのか、判らないが、解決されていないから、歯磨き回数が伸びずに、国民の悪しき歯科衛生状態が改善されない現状が在る。【０００８】  本発明は、悪しき国民の歯科衛生状態改善策として、注目されなかった歯ブラシに在った問題と取り組み、上記のような従来歯ブラシの構成が有していた問題を解決しようとするものであり、雑菌を取り込み難い、歯ブラシで掃った食物残渣等を吐き捨てず、歯磨き剤や湯水も一切使用せず、歯磨きが数倍多く行える、清潔でシンプルな歯ブラシと歯磨き回数計搭載の歯ブラシを提供し、悪しき全国の歯科衛生状態の改善を目的にするものである。
【発明の概要】
【発明が解決しようとする課題】
【０００９】  従来歯ブラシでは、歯磨き後の歯ブラシに雑菌が常在しやすく、繁殖し易い構造で在った。【００１０】  ので、不衛生な歯ブラシを覚悟して使うから、使った後は何度も口を濯ぎ、口内の物を全て吐き捨てなければ成らなかった。
から、歯を磨きたいと思っても容易に磨けなかった。【００１１】  ので、一連の歯磨き動作が煩雑でるから、多忙な現代を生きる者たちにとって容易なことではないから、歯磨き回数を増やすことは至難であり、不本意であっても近くの歯医者通いでカバーしている。【００１２】  歯の健康は歯磨き回数に比例連動するが、上記、扱い難い歯ブラシでは、時間が十分ある人ならのんびりと歯磨きを楽しめるから良いが、育ち盛りの青少年や現役の大人たちには時間がもったいないから、進んで取り組むのが大変であった。【００１３】  使い捨ての従来歯ブラシの素材はプラスチックスであり、ブラシ毛は消耗するが、アームから取っ手は容易に消耗しない耐久性があるのに、ブラシの消耗と共に惜しげもなく廃棄処分している、従来歯ブラシの構造は資源保護の立場を省みない物で在った。【００１４】  従来歯ブラシでは歯磨きが形だけになっている傾向があり、歯科衛生関係者が盛んに歯磨きを奨励しても、国民の歯科衛生状態の改善は全く望めない方向に進んでいる現状が在る。
【課題を解決するための手段】
【００１５】  本発明は、歯磨き回数を倍増できる衛生的な歯ブラシ、歯磨き回数計を装着できる歯ブラシを下記の如く構成し、歯の健康と噛む力は歯磨き回数に比例する、シンプルで経済的で省エネに合致した歯ブラシを提供し、国民の歯科衛生向上に裨益する事を目標にする。【００１６】  歯磨き回数計１は、従来から在る諸々のデジタル計測器を援用し、指先ほどの小型軽量の品を専門的に設計製作生産提供し、歯磨き回数を増やすことが、歯の健康に必須の要件である事を自覚してもらえる用具として効果がある。【００１７】  ブラシ面には、滑らかな表面に孔２、植毛３が在り、その背面から伸ばしたアーム４、その先に種々の物の出し入れ可能な容器を兼ねた容器取手５から成る、容器付歯ブラシ６を設け、希望すれば回数計をその容器に入れて、歯磨き状態を目視できるし、ブラシ面は食品残渣等を捕捉するのを避け易い構成にして、歯磨き剤や湯水を使わずに使用し、食物残渣等は唾液と共に全て嚥下吸収し、目視できる食物残渣等がブラシ面に残っていれば、それも其の場で吸い取り嚥下吸収して歯磨きを終了する事を容易に出来るブラシの構成であるから、歯を汚した其の時其の場でブラッシングを行える。【００１８】  容器歯ブラシ６に回数計１を挿入した回数計付歯ブラシ７も設け、歯磨き回数を自覚し、健康な歯に変化する状態を知り、回数計が励みになり、歯の健康と歯磨き回数が比例していることを納得すれば、歯磨き習慣が身に付き、回数計の必要はなくなるから知人にプレゼントするのも良い。【００１９】  容器付歯ブラシ６、回数計付歯ブラシ７、其々を、着脱可能なブラシ部８を組立てカートリッジブラシ部品１１を、ハンドル部９を組立てカートリッジ容器付ハンドル部品１３と組立てカートリッジ回数計付ハンドル部品１４に分け、
組立てカートリッジブラシ部品１１には、上記ハンドル部品１３・１４と着脱する装置としてフック付着脱口１０を設けて成る組立てカートリッジブラシ部品１１を設ける。
組立てカートリッジ容器付ハンドル部品１３と組立てカートリッジ回数計付ハンドル部品１４には、上記ブラシ部品１１と着脱する、掛  付着脱突起１２を設ける。
ブラシ部品１１のフック付着脱口１０に組立てカートリッジ容器付ハンドル部品１３の掛  付着脱突起１２を挿入して成る、組立てカートリッジ容器付歯ブラシ１５を設け、ブラシ部品１１のフック付着脱口１０に組立てカートリッジ回数計付ハンドル部品１４の掛り付着脱突起１２を挿入して成る、組立てカートリッジ回数計付歯ブラシ１６を設ける。
上記、組立てた歯ブラシを解除する時は、組立てた歯ブラシの着脱部に嵌っているフック付着脱口１０に在るフックを掛り付着脱突起１２に在る掛りから外して成るように構成する。
等により、歯を磨く方法等は上記と同じであるが、組立て着脱する歯ブラシにすると、ブラシ部品８・１１は使用によって徐々に消耗しても、消耗しないハンドル部品９・１３・１４は半永久的な耐久性が在り省エネに適し、個性的なハンドルや、記念品や想い出ハンドルや、嗜好品ハンドルとして大切に愛用されて良い、ブラシ部品８・１１は小粒であるから、清潔で携行するにも容易で納めやすく、頻繁に着脱できる。
【発明の効果】
【００２０】  本発明は、上記、従来歯ブラシの構成が有していた問題を解決するものであり、歯磨き回数を飛躍的に伸ばせる歯ブラシの提供を果たし、歯磨き回数計を設け、嚥下専用の歯ブラシに歯磨き回数計を提供して、従来歯ブラシよりも歯磨き回数を数倍増加でき、歯磨き剤や湯水を一切使用しない等、資源を節約し、清潔な嚥下専用歯ブラシを提供して楽しい歯磨き生活習慣を定着させ、歯科衛生状態が急速に改善定着する事を目標にした。【００２１】  飲食等で歯を少しでも使ったら、何時でも何処でも咄嗟に使える、酒を飲んでも食事をしても味覚が冴えて出された料理の味が良く判る、回数計を使うと歯の健康と歯磨き回数の比例が良く判る、磨き剤や湯水を扱わないから、歯磨きが楽しい、等々の効果が得られる。
【図面の簡単な説明】
【００２２】
【図１】本発明の実施形態を示す組立てカートリッジ回数計付歯ブラシ１６の部分断面図
【図２】同歯ブラシの平面図
【図３】同歯ブラシの組立てカートリッジブラシ部品１１の略視図
【図４】同歯ブラシの組立てカートリッジ容器付ハンドル部品１３の略視図
【図５】回数計付歯ブラシ７の略視図
【発明を実施するための形態】
【００２３】  以下、本発明の実施の形態を図１〜図５に基づいて説明する。
【００２４】  図１において、１は組立てカートリッジ容器付ハンドル部品１３に回数計１を入れた組立て回数計付ハンドル部品１４の掛  付着脱突起１２を組立てカートリッジブラシ部品１１のフック付着脱口１０に与圧挿入した状態の部分断面である。
【００２５】  図２は、図１の平面であり、容器取手１２の窓から歯磨き回数計を目視できる。
【００２６】  図３は、図１の組立てカートリッジブラシ部品１１のフック付着脱口１０のフックは背面から上下して伸ばした先に突起が在る、その突起がハンドルに在る掛  付突起１２の掛りに嵌り接続する。
【００２７】  図４は、図３のブラシ部品１１のフック付着脱口１０に先端を嵌め掛り付突起１２の先を嵌め、掛りにフックが嵌り接続する。
【００２８】  図５は、組立てカートリッジでない容器付歯ブラシ７であるが、容器に回数計を出し入れできる。
【符号の説明】
【００２９】１    回数計
２    孔
３    植毛
４    アーム
５    容器取手
６    容器付歯ブラシ
７    回数計付  歯ブラシ
８    ブラシ部
９    ハンドル部
１０  フック付着脱口
１１  組立てカートリッジブラシ部品
１２  掛り付着脱突起
１３  組立てカートリッジ容器付ハンドル部品
１４  組立てカートリッジ回数計付ハンドル部品
１５  組立てカートリッジ容器付  歯ブラシ
１６  組立てカートリッジ回数計付歯ブラシ
【図１】
2015177945.tif 000003
【図２】
2015177945.tif 000004
【図３】
2015177945.tif 000005
【図４】
2015177945.tif 000006
【図５】
2015177945.tif 000007